(57)【要約】【課題】  装着が容易であるとともに、ヒールの低い靴に装着して使用した場合でも地面に接して汚れたり、エスカレータのネットに引っかかり事故に巻き込まれることがなく、しかも装飾のために平ベルト状の透けたレース生地を用いることもできるシューズバンドを提供すること。【解決手段】  靴に入れた足の甲と靴底との周りを足の甲側で係脱可能に係止することにより所定圧で押さえるシューズバンドであって、所定長さのゴム等からなる弾性部２と、該弾性部の長さ方向両端部から互いに反対方向に所定長さ連接して設けられた１対の布地等からなるバンド部３，４とを有している。【選択図】      図１
0003152772.tif 000002
【実用新案登録請求の範囲】
【請求項１】
靴に入れた足の甲と靴底との周りを足の甲側で係脱可能に係止することにより所定圧で押さえるシューズバンドであって、所定長さのゴム等からなる弾性部と、該弾性部の長さ方向両端部から互いに反対方向に所定長さ連接して設けられた１対の布地等からなるバンド部とを有していることを特徴とするシューズバンド。
【請求項２】
請求項１に記載のシューズバンドにおいて、バンド部の両先端部側がリボン状に結わえられることにより係脱可能に係止することを特徴とするシューズバンド。
【請求項３】
請求項１に記載のシューズバンドにおいて、バンド部の両先端部に互いに係脱可能に係止する係止部材が設けられていることを特徴とするシューズバンド。
【請求項４】
請求項１ないし３のいずれかに記載のシューズバンドにおいて、バンド部は、色彩や模様など装飾が施されていることを特徴とするシューズバンド。
【請求項５】
請求項１ないし４のいずれかに記載のシューズバンドにおいて、弾性部は、靴の土踏まず部分の幅を超えない長さになっていることを特徴とするシューズバンド。
【考案の詳細な説明】
【技術分野】
【０００１】
この考案は、ヒール、サンダル、ミユールなどの靴に入れた足の甲と靴底との周りを足の甲側でリボン状に結わえることにより所定圧で適度に押さえて歩き易くすることができるとともに、オシャレ感があって女性の足元のファッション性を高めることができるシューズバンド（靴固定バンド）に関するものである。
【背景技術】
【０００２】
従来、前記のようなシューズバンドを用いた婦人靴として特許文献１に示すような、靴の接地部と踵部との間の底面と、靴ベルト等の付属品の裏面とに、圧着ファスナーを取付けてなるものがある。しかし、この婦人靴で用いられている靴バンド等の付属品はゴム等からなる弾性部のないものであるため、次のような問題点が指摘されていた。すなわち、
（１’）弾性部のないただのひも（飾り帯）をリボン状に結わえて装着し、あるいは靴バンドにより装着したものであるため、歩いているうちに段々ずり落ちてしまったり足の甲と付属品の間で隙間が生じてフィット感がなくなってしまう。
（２’）足にフィットしていないヒール靴を履いていると靴ずれや外反母趾、あるいは腰痛など足に悪影響を及ぼす。
（３’）踵が脱げないようにするため、足の指などにムリに力を入れてしまい、足に余計な負担をかけてしまう。
一方、図示していないが、全体をひも状のゴム等からなる弾性部とし、それを靴と足の甲及び踵との間に巻きつけるようにして装着するものも提案されているが、このようなものでは弾性部の実用面だけで作られていたものが多く、オシャレなものがないという問題が指摘されていた。
【０００３】
そこで、前記のような問題に鑑み、ゴム等からなる弾性部を用いたものとして、特許文献２に示すような靴着用補助具が提案されている。これは、実用新案登録請求の範囲の請求項１に記載のように、所要径の輪状になし、全体又は一部を伸縮性を有する部材をもって構成すると共に、該伸縮性を有する部材を化粧カバーで被覆してなることを特徴とするものである。そして、このように構成したことにより、着用者の足のサイズに対して靴が僅かに大き過ぎてフィットしない場合に、足に靴を着用した状態において足の甲と靴の土踏まずの部分を取り巻くよう被せて装着することにより、この部分を外周から適宜の圧力で緊締し、靴を窄めて足にフィットさせることができるものである。そしてまた、伸縮性を有する部材を化粧カバーで被覆しているから、アクセサリーとしても利用することができるとされている。
【０００４】
しかしながら、この特許文献２に示された補助具は、前記のような優れた面を有するものではあるが、ひも状ではなく、輪状からなる構造なので、装着に際して事前に靴に嵌めて挿入する必要があり、装着作業がひも状で結わえるものに比して煩雑であるという問題がある。しかも伸縮性を有する部材であるゴムの全体を化粧カバーで被覆する構造であるため、化粧カバーがゴムの伸縮に対応するだけの伸縮代を持ったいわばダブダブの形でゴムを被覆せざるを得ない。そのため、厚みのある、あるいは径の大きなものとなり、ヒールの低い靴に装着して使用した場合、化粧カバーが地面に接して汚れたり、エスカレータのネットに引っかかり思わぬ事故に巻き込まれるという問題がある。また、化粧カバーが必須のため、該カバー部に相当する部分を装飾のために平ベルト状の透けたレース生地にしたりすることもできないという問題もある。
【０００５】
そのほかにも輪状からなる構造のものとしては、特許文献３，４に示すようなソシアルダンス用のシューズの離脱防止用シューズベルトが提案されているが、これらもその構造から特許文献２と同様に装着作業が煩雑であるのに加え、実用性にウェイトが高く、装飾性に乏しいという問題がある。
【考案の概要】
【考案が解決しようとする課題】
【０００６】
そこでこの考案は、前記のような従来の問題に鑑みて創案されたものであり、装着が容易であるとともに、ヒールの低い靴に装着して使用した場合でも地面に接して汚れたり、エスカレータのネットに引っかかり事故に巻き込まれることがなく、しかも装飾のために平ベルト状の透けたレース生地を用いることもできるシューズバンドを提供することを目的とする。
【課題を解決するための手段】
【０００７】
前記の目的を達成するために、請求項１に記載の考案は、靴に入れた足の甲と靴底との周りを足の甲側で係脱可能に係止することにより所定圧で押さえるシューズバンドであって、所定長さのゴム等からなる弾性部と、該弾性部の長さ方向両端部から互いに反対方向に所定長さ連接して設けられた１対の布地等からなるバンド部とを有していることを特徴とする。
【０００８】
請求項２に記載の考案は、請求項１に記載のシューズバンドにおいて、バンド部の両先端部側がリボン状に結わえられることにより係脱可能に係止することを特徴とする。請求項３に記載の考案は、請求項１に記載のシューズバンドにおいて、バンド部の両先端部に互いに係脱可能に係止する係止部材が設けられていることを特徴とする。請求項４に記載の考案は、請求項１ないし３のいずれかに記載のシューズバンドにおいて、バンド部は、色彩や模様など装飾が施されていることを特徴とする。請求項５に記載の考案は、請求項１ないし４のいずれかに記載のシューズバンドにおいて、弾性部は、靴の土踏まず部分の幅を超えない長さになっていることを特徴とする。
【考案の効果】
【０００９】
この考案は、前記のようであって、請求項１に記載の考案にあっては、所定長さのゴム等からなる弾性部と、該弾性部の長さ方向両端部から互いに反対方向に所定長さ連接して設けられた１対の布地等からなるバンド部とを有しているので、バンド部を足の甲側で係脱可能に係止することにより容易に装着することができる。また、従来のように弾性部であるゴムの全体を化粧カバーで被覆する構造としなくともよいため全体として厚みのない、あるいは径の大きくないものにすることができ、ヒールの低い靴に装着して使用した場合でも地面に接して汚れたりすることはないし、エスカレータのネットに引っかかり事故に巻き込まれることがなくなる。また、化粧カバーも必須とするものでないから装飾のために平ベルト状の透けたレース生地を用いることもできる。そのため汎用性に富み、ファッション性の高いものとなるという優れた効果がある。
【００１０】
請求項２に記載の考案にあっては、バンド部の両先端部側をリボン状に結わえることにより簡単に係止を可能とすることができる。請求項３に記載の考案にあっては、バンド部の両先端部に設けた係止部材を互いに係止することにより同様に簡単な係止を実現できる。請求項４に記載の考案にあっては、バンド部の装飾性が高いものとなる。請求項５に記載の考案にあっては、弾性部が常に靴の土踏まずの部分の幅におさまり、看る者の目に触れることがなく、美感的にも優れたものとなる。
【図面の簡単な説明】
【００１１】
【図１】この考案の一実施の形態に係るシューズバンドを示す平面図である。
【図２】図１の線Ａ−Ａに沿う拡大断面図である。
【図３】（Ａ）及び（Ｂ）は同上のシューズバンドの使用状態の一例を靴への装着順に示す図面である。
【図４】別の実施の形態のシューズバンドを示す平面図である。
【図５】図４の線Ｂ−Ｂに沿う拡大断面図である。
【図６】さらに別の実施の形態のシューズバンドを示す平面図である。
【考案を実施するための形態】
【００１２】
この考案の一実施の形態を、添付した図面を参照しながら詳細に説明する。
【００１３】
図１，２において、１はシューズバンドで、このシューズバンド１は、所定長さのゴム等からなる弾性部２と、該弾性部の長さ方向両端部から互いに反対方向に所定長さ連接して設けられた１対の布地等からなるバンド部３，４とを有し、弾性部２がその長さ方向に伸縮可能になっている。バンド部３，４が弾性部２と連接した接続部は折返し等で形成した重合部をステッチ縫いやカシメ等により止められている。バンド部３，４は弾性部２とともに平ベルト状のものから形成されている。
【００１４】
前記のようなシューズバンド１の各部の寸法の一例を説明する。図１に示すように弾性部２は長さが４０mm、幅が２０mmとなっており、バンド部３，４の長さは約３００mm、幅が１５mmとなっている。この例では弾性部２とバンド部３，４の幅をバンド部３，４のほうが幅狭の異なる寸法としたが、互いに同じ寸法としてもよいし、バンド部３，４のほうが幅広の異なる寸法としてもよい。弾性部２の長さは、靴への装着後に看る者の目に触れないようにすることが好ましいことから、靴の土踏まずの部分（靴底の地面に接しない部分）を超えないように前記のような寸法に設定されている。これにより靴の表側と足の甲側には常にバンド部３，４が位置するようになる。また、この例では両バンド部３，４の長さを等しくしているが、多少異なる寸法としてもよい。
【００１５】
次に前記の作用を説明する。使用に際しては、図３（Ａ）に示すように弾性部２が靴の土踏まずの部分に位置するようにしたうえでバンド部３，４を足の甲側にくるようにし、バンド部３，４を弾性部２が少し伸びるように引っ張りながらリボン状に結わえる。これにより靴に入れられた足はシューズバンド１により弾性部２の伸びによる適度の圧で押さえられることになる。このように弾性部２が靴の土踏まずの部分に位置するようにすると、弾性部２が看る者の目に触れなくなる（図面上では弾性部２の位置の説明上少し見えているが、実際は隠れる）。図３（Ｂ）はバンド部３，４がリボン状に結わえられた状態での歩行状況を示してあり、この状態では足はその甲側にリボン状に結わえられたバンド部３，４が位置して弾性部２で適度の圧で引っ張られる感じで靴にピッタリとフィットする。したがって、入れた足の踵が従来のようにパカパカすることなくしっかりと固定されて歩き易いものとなる。しかも、甲側のリボン状に結ばれたバンド部３，４によりかわいい装飾がなされ、アクセサリーとしての価値があるものとなる。
【００１６】
靴を履いている中、足の動きによってシューズバンド１には足からの力が作用するが、足がシューズバンド１が伸びるように動いたときは弾性部２がそれに追随するように伸びる一方、伸びだ状態から縮むように動いたときは弾性部２が追随するように収縮する。これによりシューズバンド１は常に足に適度の圧でフィットすることとなり、従来のもののように緩んでずり落ちてしまい歩き難くなるということがない。
【００１７】
前記のようであって、従来型のバンドのようにゴムを化粧カバーで被覆する構造のものにあっては、透けた生地やレースなど穴のあいている生地を使った場合、中のゴムが見えてしまいオシャレに見えないものが多く、生地自体もくしゃくしゃしてきれいに見えなかったが、シューズバンド１のような構造であれば、ゴムなど弾性部２の長さを短くできるため、看る者の目に触れないようにしてバンド部３，４のみを見せることができるから装飾性に優れたものとなる。すなわち、シューズバンド１を靴に装着して用いることによって、オシャレに敏感な女性の足元のファッション性を高めることができる。バンド部３，４は透明とし、それに各種の色彩や模様を施して装飾化したりすることができる。
【００１８】
図４，５は別の実施の形態のシューズバンド１’を示すもので、前記のシューズバンド１と相違するところは両バンド部３’，４’を平ベルト状のものではなく、断面円形のひも状にしたものである。このほかの構成は同様となっている。このようなひも状のバンド部３’，４’を有するシューズバンド１’でも同様な作用を期待することができる。また、このようなひも状のバンド部３’，４’を用いれば、平ベルト状のものに比べて結わえることが便利であるのに加え、任意の色の色彩を施して装飾性を高めることもできる。
【００１９】
図６は、さらに別の実施の形態のシューズバンド１”を示すものである。このシューズバンド１”は平ベルト状のバンド部３”，４”の両先端部に互いに係脱可能に係止する係止部材としての係止金具５”と係止穴６”が設けられている点において、前記のシューズバンド１，１’のようにバンド部の両先端部側がリボン状に結わえられることにより係脱可能に係止するものと基本的な構成が異なる。また、このシューズバンド１”ではバンド部３”，４”をリボン状に結わえるものではないため、その長さは約１４０mmとなっている。このほかの構成は同様となっている。このようなシューズバンド１”では装着時に足の甲側に位置することとなる係止金具５”と任意の係止穴６”をバンド部３”，４”を引っ張りながら係止することによりシューズバンド１，１’と同様な作用効果を期待することができる。バンド部３”，４”の材質としては皮革や布が適当であるが、必ずしもこれに限定するものではない。また、図示した係止金具５”と係止穴６”は係止部材の一例であり、そのほかに係脱が可能であればボタンやホック、あるいはマジックテープ（登録商標）等のような係止部材を用いてもよい。
【００２０】
この考案に係るシューズバンド１，１’１”の特徴を挙げると次のようになる。
すなわち、
（１）自分で好きな形のリボンやひもを結んで、あるいは係止部材を互いに係止することで装飾ができる。
（２）自分で係止することが可能なので、締め具合などの調整が自分でできる。
（３）弾性部が収縮して足にフィットするためずり落ちにくくなる。
（４）靴と足がフィットするので、踵のパカパカを軽減し歩き易くなる。
（５）レースやシフォン柄、チェック柄、ベルベットなどの色々な生地とゴムバンドを融合させられるため、オシャレでかわいいシューズバンドができる。
（６）サイズが大きい靴でも足を固定することができるので歩き易くなる。
（７）歩き易くなるため歩く時の姿勢がよくなる。
（８）ヒール靴やミュール靴の歩く時の気になる音が軽減する。
（９）普通の地味なヒール靴がオシャレな靴に変わる。
（１０）歩き回ることの多い旅先でも安心して歩くことができる。
（１１）足にフィットすることで外反母趾や靴ずれの予防、又は腰にも負担がかからず足の健康に役立つ。
（１２）踵が脱げる心配がなくなるので、足の指などに無理な力を入れなくてすみ足に負担がかかりにくくなる。
【００２１】
前記の実施の形態ではバンド部を布地等からなるものとしたが、そのなかには装飾的な観点から透けたレース、皮革、ベルベット、エナメル、等を含み、この中から任意の好みのものにすることができる。また、上記段落００１４で示した各部の寸法はあくまでも一例にすぎず、実施に際しては適宜にその値を変更することが可能である。
【符号の説明】
【００２２】
１  シューズバンド
２  弾性部
３，４  バンド部
【先行技術文献】
【特許文献】
【００２３】
【特許文献１】実開昭６１−１６３５０４号公報
【特許文献２】実用新案登録第３１４１８２６号公報
【特許文献３】実用新案登録第３０７５８１９号公報
【特許文献４】実用新案登録第３１１０６４４号公報
【図１】
0003152772.tif 000003
【図２】
0003152772.tif 000004
【図３】
0003152772.tif 000005
【図４】
0003152772.tif 000006
【図５】
0003152772.tif 000007
【図６】
0003152772.tif 000008